(57)【特許請求の範囲】
【請求項１】
クッション材で形成されたマット本体の内部に、エアー供給源に接続されたエアー供給ホースを配索し、前記エアー供給ホースに前記エアーを噴射するための噴射孔を複数設けた寝具用マットであって、
前記複数系統のエアー供給ホースを、該各エアー供給ホースの配索領域を互いに重合させて配設するとともに、
前記エアー供給源に対する前記各エアー供給ホースの接続系統を選択的に切換え可能とする切換え手段を備えた
寝具用マット。
【請求項２】
前記各エアー供給ホースのうち一つ又は複数のエアー供給ホースを、他のエアー供給ホースの配索領域内に配設した
請求項１に記載の寝具用マット。
【請求項３】
前記エアー供給ホースを、複数のホースと、該各ホースを接続するジョイントとを平面状に配置して構成した
請求項１又は２に記載の寝具用マット。
【請求項４】
前記噴射孔を、前記エアー供給ホースが配索された平面に交差して前記ジョイントに設けた
請求項１〜３のいずれか一つに記載の寝具用マット。
【請求項５】
前記ジョイントを、前記エアー供給ホースが配索された平面に沿って前記ホースを接続するための接続ポートが３方に形成されたＴ字状ジョイントで構成した
請求項１〜４のいずれか一つに記載の寝具用マット。
【請求項６】
前記ジョイントを硬質の部材で構成した
請求項１〜５のいずれか一つに記載の寝具用マット。
【請求項７】
前記マット本体の内部に、前記エアー供給源に接続された膨張収縮可能なエアーバッグを配置した
請求項１〜６のいずれか一つに記載の寝具用マット。
【発明の詳細な説明】
【技術分野】
【０００１】
この発明は、例えばマット本体の内部から外部に向けて噴射されるエアーの強さを可変調節することができる寝具用マットに関する。
【背景技術】
【０００２】
従来、前記寝具用マットとして、例えば既に提案済みの介護用マット(特許文献１参照)には、マット本体の表面側に形成された凹溝状の通気路に、送気装置と連通する送気管を沿設して、送気装置から送気されるエアーを送気管の上面に形成された送気孔から使用者の身体の要部に向けて吹き付けることが開示されている。
【０００３】
しかし、上述の送気管に設けられた送気孔の大きさや孔数は一定しているため、送気孔から吹き出されるエアーの強さを可変調節することができない。  
そこで、上述のエアーの強さを調節する方法として、例えばエアーポンプの出力を制御装置により可変すれば、その出力の変化に応じて、噴射孔から噴射されるエアーの強さを可変調節することができるが、エアーポンプの出力を電気的に制御することが難しく、その出力を制御するための制御装置が必要となるので、介護用マット全体の構成部品が多くなるだけでなく、介護用マットを製造する作業に手間及び時間が掛かるため、製造コストが高くなる。
【０００４】
また、他の例のマットレス（特許文献２参照）には、マットレス内部に配置されたクッション部を構成する複数のエアセルと、マットレス内部に換気用空気を吹き出すための換気用エアセルとに対しエアーポンプから送られるエアーを効率よく集中的に供給するため、各エアセル及び換気用エアセルとエアーポンプとを接続する経路に電磁弁や回転バルブを設けたことが開示されている。  
しかし、上述と同様に、エアーポンプの出力を制御装置により可変すれば、各エアセル及び換気用エアセルに供給されるエアーの強さを可変調節することができるが、マットレス全体の構成部品が多くなるだけでなく、マットレスを製造する作業に手間及び時間が掛かることになるため、製造コストが高くなるという問題が生じる。
【先行技術文献】
【特許文献】
【０００５】
【特許文献１】特開２００３−３８５８３号公報
【特許文献２】特開２００５−６９５６号公報
【発明の概要】
【発明が解決しようとする課題】
【０００６】
この発明は、マット本体の内部から外部に向けて噴射されるエアーの強さを可変調節することができる寝具用マットを提供することを目的とする。
【課題を解決するための手段】
【０００７】
この発明は、クッション材で形成されたマット本体の内部に、エアー供給源に接続されたエアー供給ホースを配索し、前記エアー供給ホースに前記エアーを噴射するための噴射孔を複数設けた寝具用マットであって、前記複数系統のエアー供給ホースを、該各エアー供給ホースの配索領域を互いに重合させて配設するとともに、前記エアー供給源に対する前記各エアー供給ホースの接続系統を選択的に切換え可能とする切換え手段を備えた寝具用マットであることを特徴とする。
【０００８】
上述の噴射孔から噴射されるエアーの強さを調節する場合、切換え手段によりエアー供給源に対する各エアー供給ホースの接続系統を選択的に切換えることにより、その選択されたエアー供給ホースの組合せや本数に対応して、マット全体での噴射孔の孔数が増減する。
【０００９】
つまり、例えばエアー供給源から送られるエアーの圧力が一定している場合、エアーが噴射される噴射孔の孔数が多くなると、マット全体では噴射孔を合わせた開口面積が大きくなり、噴射孔一つあたりのエアーの噴射量の絞り込みが緩和されるので、噴射孔から噴射されるエアーの強さを低くすることができる。
【００１０】
また、エアーが噴射される噴射孔の孔数が少なくなると、マット全体では噴射孔を合わせた開口面積が小さくなり、噴射孔一つあたりのエアーの噴射量が絞り込まれるので、噴射孔から噴射されるエアーの強さを高めることができる。  
これにより、エアー供給手段から各接続系統へのエアー供給を選択的に切り換えるのみで、噴射孔一つあたりのエアー噴射量を調整可能となり、より簡易な構成でエアーの強さを可変調節することができる。
【００１１】
この発明の態様として、前記各エアー供給ホースのうち一つ又は複数のエアー供給ホースを、他のエアー供給ホースの配索領域内に配設することができる。  
つまり、上述の配索領域内に寝転んだ利用者の身体、あるいは、配索領域内のマット本体に向けて、噴射孔から噴射されるエアーが集中して吹き出される。  
これにより、配索領域内において利用者の身体が効率よく空冷され、汗などの水分・湿気を効率よく除湿することができる。
【００１２】
また、この発明の態様として、前記エアー供給ホースを、複数のホースと、該各ホースを接続するジョイントとを平面状に配置して構成することができる。  
つまり、エアー供給ホースの各ホース及び各ジョイントを例えば格子状、梯子状等に連結した場合、その連結したエアー供給ホースがマット本体にて平面状に配置された状態で支持される。  
これにより、利用者の体重がマット内部に配索されたエアー供給ホースに付加されても、各ホースを接続するジョイントの噴射孔のエアー噴射方向がほぼ一定となり、予め設定されたエアー噴射方向を保つことができる。
【００１３】
また、この発明の態様として、前記噴射孔を、前記エアー供給ホースが配索された平面に交差して前記ジョイントに設けることができる。  
つまり、噴射孔から噴射されるエアーが、エアー供給ホースが配索された平面と交差するエアー噴射方向に向けて噴射される。  
これにより、エアーを、予め設定されたエアー噴射方向（例えば直交する方向、斜め方向）に向けて噴射することができる。
【００１４】
また、この発明の態様として、前記ジョイントを、前記エアー供給ホースが配索された平面に沿って前記ホースを接続するための接続ポートが３方に形成されたＴ字状ジョイントで構成することができる。
【００１５】
つまり、Ｔ字状ジョイントの３方に設けられた接続ポート及び該各接続ポートに接続された各ホースをマット本体により支持するので、該ジョイントが周方向に回転しようとするのを防止することができる。  
これにより、ジョイントの噴射孔のエアー噴射方向がほぼ一定となり、予め設定されたエアー噴射方向に向けて噴射することができる。
【００１６】
また、この発明の態様として、前記ジョイントを硬質の部材で構成することができる。  
つまり、ジョイントを、例えばエアーの供給が妨げられない程度の硬さを有する硬質の部材で構成すれば、利用者の体重がマット本体の内部に配索されたエアー供給ホースの接続部分に付加されても、その接続部分に設けられたジョイント自体が変形することがない。  
これにより、ジョイントの噴射孔のエアー噴射方向を予め設定された方向に保つことができる。
【００１７】
また、この発明の態様として、前記マット本体の内部に、前記エアー供給源に接続された膨張収縮可能なエアーバッグを配置することができる。  
つまり、例えば利用者の肩部、背部、腰部、脚部等の所望する部分にエアーバッグを予め配置しておけば、エアーバッグの膨張・収縮により各部分をマッサージすることができる。
【００１８】
前記クッション材は、例えばウレタンフォーム等の発泡樹脂成形体、ポリエステル繊維等の繊維成形体で構成することができる。  
また、エアー供給源は、例えばエアーポンプ、ブロワ（送風機）、コンプレッサー等で構成することができる。  
また、エアー供給ホースは、例えば柔軟性を有する合成ゴム製のフレキシブルホース等で構成することができる。  
また、ジョイントを構成する硬質の部材は、例えばＡＢＳ樹脂、ポリプロピレン等のプラスチック、或いは、ステンレス、真鍮等の金属で構成することができる。  
また、切換え手段は、例えば電磁式の切換え弁（電磁弁）、手動式の切換え弁等で構成することができる。
【発明の効果】
【００１９】
この発明によれば、切換え手段によりエアー供給源に対する各エアー供給ホースの接続系統を選択的に切換えることにより、その選択したエアー供給ホースの組合せや本数に対応して噴射孔の孔数が増減する。これにより、エアーが噴射される噴射孔の孔数に対応して、該噴射孔から噴射されるエアーの強さが変化するので、利用者が望む又は好むような強さに可変調節することができる。
【図面の簡単な説明】
【００２０】
【図１】寝具用マットにおける弱レベルのエアー噴射状態を示す斜視図。
【図２】頭部側から見た寝具用マットの内部構造を示す断面図。
【図３】中レベルのエアー噴射状態を示す斜視図。
【図４】強レベルのエアー噴射状態を示す斜視図。
【図５】エアーバッグの膨張状態を示す斜視図。
【図６】寝具用マットの分離状態を示す斜視図。
【図７】側面から見たカバーを除く寝具用マットの内部構造を示す断面図。
【図８】噴射孔が垂直に形成されたジョイントを示す斜視図。
【図９】噴射孔が斜めに形成されたジョイントを示す斜視図。
【図１０】ホースのみを配索した寝具用マットの他の例を示す斜視図。
【図１１】大きさが異なる供給ホースを上下に配設した寝具用マットのその他の例を示す斜視図。
【図１２】一対の供給ホースを上下に配設した寝具用マットのその他の例を示す斜視図。
【図１３】噴射孔をジョイントの対向する上下面に形成した寝具用マットのその他の例を示す断面図。
【発明を実施するための形態】
【００２１】
この発明の一実施形態を以下図面に基づいて詳述する。  
図１は寝具用マット１０における弱レベルのエアー噴射状態を示す斜視図、図２は頭部側から見た寝具用マット１０の内部構造を示す断面図、図３、図４は中レベルと強レベルのエアー噴射状態を示す斜視図、図５はエアーバッグ６０の膨張状態を示す斜視図、図６は寝具用マット１０の分離状態を示す斜視図、図７は側面から見たカバー１２を除く寝具用マット１０の内部構造を示す断面図、図８、図９は噴射孔５９が垂直及び斜めに形成されたジョイント５４を示す斜視図である。
【００２２】
本実施形態の寝具用マット１０は、図１〜図７に示すように、下層マット２０と、中層マット３０と、上層マット４０とを下から順に重ね合せてなる上方から見て矩形に形成された３層構造のマット本体１１と、該マット本体１１の外周囲に被覆された通気性を有するカバー１２とで構成している。
【００２３】
マット本体１１上には、後述するエアー供給ホース５０を配索するための配索領域Ｘを設定している。その配索領域Ｘは、マット本体１１の全長を利用者Ａの頭部、肩部、背部が載置される上部領域ａと、腰部が載置される中央領域ｂと、脚部が載置される下部領域ｃとに区分けしている。  
また、マット本体１１のマット２０，３０，４０は、クッション材の一例である柔軟性を有するウレタンフォームで構成している。
【００２４】
カバー１２は、ダブルラッセル生地を用いて袋状に縫製している。また、カバー１２は、利用者Ａとマット本体１１との間に通気用の隙間が形成される構造を有しているので、利用者Ａがマット本体１１上に寝転んだ際、汗などの水分・湿気がマット本体１１の表面に溜まりにくく、肌触りの良い感触を利用者Ａに与えることができる。
【００２５】
下層マット２０と中層マット３０との間には、上方から見て格子状のエアー供給ホース５０をマット本体１１の上部領域ａ、中央領域ｂ、下部領域ｃと対応する配索領域Ｘの全体に対し平面状に配索している。  
中層マット３０と上層マット４０との間には、マット本体１１上に寝転んだ利用者Ａの肩部と、背部と、腰部と、脚部をマッサージするためのエアーバッグ６０を複数配置している。
【００２６】
下層マット２０の厚みは、厚さ５４ｍｍに形成している。また、中層マット３０の厚みは、厚さ１５ｍｍに形成している。また、上層マット４０の厚みは、厚さ１０ｍｍに形成している。
【００２７】
また、下層マット２０の上面は、側面から見て滑らかな波状に形成している。つまり、滑らかな山部２１と谷部２２とを短手方向Ｃと平行して形成するとともに、該下層マット２０の長手方向Ｂに対し交互に連続して配置している（図６、図７参照）。
【００２８】
下層マット２０の下面には、深さ及び幅が同一の溝部２３を短手方向Ｃと平行して形成するとともに、該下層マット２０の長手方向Ｂに対し所定の間隔を隔てて複数本配列している。また、溝部２３は、下層マット２０の厚み方向中央部に到達する深さ（厚みの１／２深さ）に形成している。
【００２９】
マット本体１１の硬さは、下層マット２０を構成するウレタンフォームの密度と、該下層マット２０に形成される溝部２３の数とで調整している。  
つまり、下層マット２０の密度を高くすれば反発力が強くなり変形しにくくなり、その密度を低くすれば反発力が弱くなり変形しやすくなる。
【００３０】
下層マット２０の密度が均一であっても、溝部２３の本数を少なくすれば、溝部２３で区切られた部分の幅が広くなる。また、溝部２３の本数を多くすれば、溝部２３で区切られた部分の幅が狭くなる。この結果、幅が広い部分に比べて幅が狭い部分の反発力が弱くなる。  
これにより、マット本体１１の硬さ・柔らかさを調整することができる。
【００３１】
実施形態の下層マット２０の密度は均一であるが、下層マット２０の中央領域ｂに形成された溝部２３の本数を少なく、上部領域ａ及び下部領域ｃに形成された溝部２３の本数を多くしている。
【００３２】
これにより、利用者Ａがマット本体１１上に寝転んだ際、利用者Ａの腰部が載置されるマット本体１１の中央領域ｂが必要以上に沈み込むことがなく、腰部に与える負担を軽減することができる。
【００３３】
なお、溝部２３の深さや幅を変更してもよく、下層マット２０を所望する硬さに調整することができる。
【００３４】
エアー供給ホース５０は、図１、図２、図６に示すように、マット本体１１上に設定された上部領域ａ、中央領域ｂ、下部領域ｃとからなる配索領域Ｘの全体に配索された格子状の供給ホース５０Ａと、上部領域ａのみに配索された格子状の供給ホース５０Ｂとで、複数の接続系統を構成している。
【００３５】
また、複数系統の供給ホース５０Ａ，５０Ｂは、供給ホース５０Ａが配索された配索領域Ｘと、供給ホース５０Ｂが配索された上部領域ａとを互いに重合させて上下に配設するとともに、供給ホース５０Ａの配索領域Ｘ内の上部領域ａに供給ホース５０Ｂを配索している。  
なお、供給ホース５０Ａ，５０Ｂは、該供給ホース５０Ａ，５０Ｂの接続部分に設けられた後述するジョイント５４の噴射孔５９を変位させて配索している。
【００３６】
供給ホース５０Ａ，５０Ｂは、マット本体１１の長手方向Ｂと平行して配索された縦ホース５１と、該マット本体１１の短手方向Ｃと平行して配索された横ホース５２とを格子状に配置し、縦ホース５１及び横ホース５２の各格子の角となる接続部分にジョイント５４を配置するとともに、縦ホース５１及び横ホース５２と、縦ホース５１及び横ホース５２を接続するジョイント５４とを同一の平面状に配置して構成している。
【００３７】
供給ホース５０Ａの縦ホース５１及び横ホース５２はマット本体１１の外周縁部よりも内側に配索している。また、供給ホース５０Ｂの縦ホース５１及び横ホース５２は供給ホース５０Ａの外周縁部よりも内側に配索している。  
なお、縦ホース５１及び横ホース５２は、柔軟性を有する軟質の合成樹脂で形成され、エアーＤの供給が妨げられない程度の柔らかさに形成している。
【００３８】
供給ホース５０Ａ，５０Ｂの縦ホース５１は、外側ホース５１ａと内側ホース５１ｂとで構成している。  
供給ホース５０Ａの外側ホース５１ａは、マット本体１１の両側縁部に沿って該両側縁部よりも内側に配索している。
【００３９】
また、供給ホース５０Ａの内側ホース５１ｂは、左右に配置された外側ホース５１ａよりも内側に配索され、マット本体１１の中央領域ｂを除く上部領域ａ及び下部領域ｃの中央部に２本ずつ配索している。  
また、内側ホース５１ｂ，５１ｂは、マット本体１１の短手方向Ｃに対し所定間隔を隔てて配索している。
【００４０】
供給ホース５０Ｂの外側ホース５１ａは、供給ホース５０Ａの両側縁部に沿って該両側縁部よりも内側に配索している。  
また、供給ホース５０Ｂの内側ホース５１ｂは、左右に配置された外側ホース５１ａよりも内側に配索され、マット本体１１の上部領域ａの中央部に該マット本体１１の短手方向Ｃに対し所定間隔を隔てて４本配索している。
【００４１】
供給ホース５０Ａ，５０Ｂの横ホース５２は、左右に配置された外側ホース５１ａの間に掛け渡される中間ホース５２ａで構成している。  
供給ホース５０Ａの中間ホース５２ａは、マット本体１１の上部領域ａ及び中央領域ｂ及び下部領域ｃの中央部に配索するとともに、該マット本体１１の長手方向Ｂに対し所定間隔を隔てて４本配索している。
【００４２】
供給ホース５０Ｂの中間ホース５２ａは、マット本体１１の上部領域ａの中央部に配索するとともに、該マット本体１１の長手方向Ｂに対し所定間隔を隔てて４本配索している。
【００４３】
縦ホース５１のホース５１ａ，５１ｂ及び横ホース５２のホース５２ａは、下層マット２０と中層マット３０との対向面に沿ってＴ字状に当接されるようにして水平に配索している。また、ホース５１ａ，５１ｂ，５２ａをＴ字状に当接する格子の角に対応する接続部分は、後述するＴ字状のジョイント５４により連通接続している（図６のｂ部拡大図参照）。
【００４４】
また、ホース５１ａ，５１ｂ，５２ａ及びジョイント５４は、後述するエアーバッグ６０によってエアーＤの噴射が妨げられないように配置している。
【００４５】
ジョイント５４は、供給ホース５０Ａに設けられた１６箇所の接続部分と、供給ホース５０Ｂに設けられた１２箇所の接続部分とに配置している。  
また、ジョイント５４は、図８、図９に示すように、ホース５１ａ，５１ｂ，５２ａの直径よりも大径に形成された本体５５と、ホース５１ａ，５１ｂ，５２ａが接続される接続ポート５６，５７，５８とで構成され、供給ホース５０Ａ，５０Ｂが配索された平面に沿って接続ポート５６，５７，５８が３方に向けて水平に形成されたＴ字形ジョイントである。  
なお、ジョイント５４は、硬質のＡＢＳ樹脂で形成され、エアーＤの供給が妨げられない程度の硬さに形成している。
【００４６】
接続ポート５６，５７は、本体５５の両側部に対し直線方向に連通して形成している。また、接続ポート５８は、本体５５の中央部周面に対し接続ポート５６，５７の接続方向と直交する方向に向けて形成している。  
つまり、接続ポート５６，５７，５８は、ホース５１ａ，５１ｂ，５２ａがＴ字状に当接される方向に向けて水平に形成している。
【００４７】
本体５５の中央部上面（表面）であって、中層マット３０の裏面と対向する面には、供給ホース５０Ａ，５０Ｂが配索された平面に対し直交する方向に向けて、後述するエアー供給装置６８（例えばエアーポンプ）から送られるエアーＤを噴射するための噴射孔５９を垂直に形成している（図２参照）。
【００４８】
噴射孔５９のエアー噴射方向（図中点線矢印で示す方向）は、供給ホース５０Ａ，５０Ｂが配索された平面に対し直交する方向に設定している。なお、噴射孔５９の孔径は、０．５φｍｍに形成している。
【００４９】
また、供給ホース５０Ａ，５０Ｂの各接続部分に設けられたジョイント５４は下層マット２０と中層マット３０との対向面間に挟み込んでいる。  
つまり、ジョイント５４の３方に形成された接続ポート５６，５７，５８と、接続ポート５６，５７，５８に接続されたホース５１ａ，５１ｂ，５２ａとを下層マット２０及び中層マット３０で挟持して水平に支持している（図２のａ部拡大図参照）。
【００５０】
例えばマット本体１１上に寝転んだ利用者Ａに向けてエアーＤが噴射されるように設定する場合、図１に示すように、供給ホース５０Ａ，５０Ｂが配索された平面に対し直交する方向に向けて噴射孔５９が垂直に形成されたジョイント５４（図８参照）は、供給ホース５０Ａの外周より内側に設けられたホース５１ａ，５１ｂ，５２ａがＴ字状に接続される接続部分に配置する。
【００５１】
また、供給ホース５０Ａ，５０Ｂが配索された平面に対しθ角度傾斜する方向に向けて噴射孔５９が斜めに形成されたジョイント５４（図９参照）は、供給ホース５０Ａの外周に設けられたホース５１ａ，５１ｂ，５２ａがＴ字状に接続される接続部分に配置する。
【００５２】
これにより、ジョイント５４の噴射孔５９から噴射されるエアーＤが、マット本体１１の中央部に寝転んだ利用者Ａの身体、あるいは、マット本体１１の上方中央部に向けて集中して吹き出される。
【００５３】
図８、図９に示すジョイント５４を製造する場合、例えば接続ポート５６，５７，５８を成形するための金型と、本体５５及び噴射孔５９を成形するための金型とを用いて一体成形する。  
つまり、接続ポート５６，５７，５８を成形する金型が共通しているので、本体５５及び噴射孔５９を成形するための金型を交換するだけで、噴射孔５９のエアー噴射角度が異なる２種類のジョイント５４を簡単且つ容易に製造することができ、製造コストの低減を図ることができる。
【００５４】
接続ポート５６，５７，５８の先端側外周面には、ホース５１ａ，５１ｂ，５２ａの端部を抜止めするための抜止め部５６ａ，５７ａ，５８ａが形成されている。  
抜止め部５６ａ，５７ａ，５８ａは、接続ポート５６，５７，５８の先端部から中央部に向けて徐々に大径となる傘形状に形成され、ホース５１ａ，５１ｂ，５２ａの内周面に対し差込み方向とは逆向きに係止される。
【００５５】
接続ポート５６，５７，５８の基端側外周面は、ホース５１ａ，５１ｂ，５２ａの内周面に対し密着される外径に形成している。
【００５６】
つまり、ホース５１ａ，５１ｂ，５２ａを径方向に拡張しながら抜止め部５６ａ，５７ａ，５８ａに被せて、本体５５の接続ポート５６，５７，５８が形成された端面に対し押し当てられる位置まで深く差し込む。
【００５７】
すると、ホース５１ａ，５１ｂ，５２ａ自体の復元力により、該ホース５１ａ，５１ｂ，５２ａの内周面が接続ポート５６，５７，５８の外周面に対し気密状態に密着される。また、抜止め部５６ａ，５７ａ，５８ａがホース５１ａ，５１ｂ，５２ａの内周面に対し差込み方向とは逆の方向に向けて係止される。
【００５８】
これにより、ホース５１ａ，５１ｂ，５２ａを接続ポート５６，５７，５８に対し連通接続することができる。
【００５９】
前記供給ホース５０Ａは、電磁弁６４ａ及びホース６５ａを介して、エアー供給装置６８（例えばエアーポンプ）に接続している。  
また、供給ホース５０Ｂは、電磁弁６４ｂ及びホース６５ｂを介して、エアー供給装置６８に接続している。
【００６０】
電磁弁６４ａ，６４ｂは、後述するリモートコントロール７０により予め記憶された動作プログラムに沿って開閉動作される。
【００６１】
電磁弁６４ａ，６４ｂを開放すると、一つのエアー供給装置６８から供給ホース５０Ａ，５０Ｂへのエアー供給が開始され、供給ホース５０Ａ，５０Ｂの各接続部分に設けられたジョイント５４の噴射孔５９からエアーＤが噴射される。
【００６２】
また、電磁弁６４ａ，６４ｂを閉塞すると、エアー供給装置６８から供給ホース５０Ａ，５０Ｂへのエアー供給が停止され、エアーの噴射が停止される。
【００６３】
前記エアーバッグ６０は、肩用バッグ６０ａと、背用バッグ６０ｂと、腰用バッグ６０ｃと、脚用バッグ６０ｄとで構成している。バッグ６０ａ〜６０ｄは、マット本体１１上に寝転んだ利用者Ａの肩部と、背部と、腰部と、脚部とに対応する部分にそれぞれ配置している（図１の点線参照）。
【００６４】
バッグ６０ａ〜６０ｄには、該バッグ６０ａ〜６０ｄが押し付けられた部分に対し振動を付与するための振動発生器（図示省略）を取り付けている。
【００６５】
また、エアーバッグ６０は、電磁弁６６及びホース６７を介して、エアー供給装置６８に接続している。電磁弁６６は、後述するリモートコントロール７０により予め記憶された動作プログラムに沿って開閉動作される。
【００６６】
電磁弁６６を開放すると、エアー供給装置６８からエアーバッグ６０へのエアー供給が開始され、バッグ６０ａ〜６０ｄが膨張する。また、電磁弁６６を閉塞すると、エアー供給装置６８からエアーバッグ６０へのエアー供給が停止され、バッグ６０ａ〜６０ｄが収縮する。また、バッグ６０ａ〜６０ｄの中からいずれか一つ又は複数を選択して膨張及び収縮させることもできる。
【００６７】
リモートコントロール７０は、マット本体１１の側部に接続されており、電磁弁６４，６６の開閉を制御する動作プログラムと、エアー供給装置６８の駆動及び停止を制御する動作プログラムとが記憶されている。  
また、リモートコントロール７０は、図示しない開始スイッチ及び停止スイッチに加えて、エアーＤの噴射を開始及び停止する機能と、そのエアーＤの噴射時間を設定する機能と、マッサージ及び振動する部分を選択する機能と、マッサージ及び振動の強さを選択する機能と、マッサージの時間を設定する機能とを備えている。
【００６８】
上述の寝具用マット１０を利用して利用者Ａが睡眠や休息をとる方法を説明する。  
先ず、リモートコントロール７０の空冷・換気スイッチ（図示省略）をＯＮ操作して、電磁弁６６を閉塞し、エアー供給装置６８からエアーバッグ６０へのエアー供給を停止する。
【００６９】
また、電磁弁６４ａ，６４ｂの両方又は一方を開放し、エアー供給装置６８からエアー供給ホース５０へのエアー供給を開始する。これにより、供給ホース５０Ａ，５０Ｂの各接続部分に設けられたジョイント５４の噴射孔５９からエアーＤがエアー噴射方向（図中点線矢印で示す方向）に向けて噴射される。
【００７０】
つまり、ジョイント５４の噴射孔５９から噴射されるエアーＤがマット本体１１の内部から外部に向けて噴射され、寝具用マット１０上に寝転んだ利用者Ａの身体付近や寝具用マット１０の中央部付近に向けて集中して吹き出される（図１、図２参照）。
【００７１】
また、エアーＤは、利用者Ａの身体付近や寝具用マット１０の中央部付近から外部に向けて排出されるので、利用者Ａの身体付近に熱や湿気が溜まりにくく、利用者Ａの身体が効率よく短い時間で空冷される。  
これにより、体温上昇による発汗や蒸れを防止する効果が一段と向上するとともに、寝心地が良く、快適な睡眠や休息をとることができる。
【００７２】
次に、ジョイント５４の噴射孔５９から噴射されるエアーＤの強さを調節する場合、図１、図２に示すように、リモートコントロール７０の強さ調節スイッチ（図示省略）を操作して、電磁弁６４ａ，６４ｂの両方を開放すると、供給ホース５０Ａ，５０Ｂに設けられた２８箇所の噴射孔５９からエアーＤが同時に噴射される。
【００７３】
供給ホース５０Ａ，５０Ｂの両方に設けられた全噴射孔５９の孔数（２８個）は、供給ホース５０Ａ，５０Ｂの一方に設けられた噴射孔５９の孔数（１６個）よりも多いので、２８箇所の各噴射孔５９から噴射されるエアーＤの噴射圧が低下する。
【００７４】
つまり、エアー供給装置６８から送られるエアーＤの圧力が一定している場合、エアーＤが噴射される噴射孔５９の孔数が多くなると、その噴射孔５９を合わせた開口面積が大きくなり、エアーＤの噴射量の絞り込みが緩和される。  
これにより、噴射孔５９から噴射されるエアーＤの強さを弱レベルに低くすることができるので、寝具用マット１０上に寝転んだ利用者Ａに対し後述する中レベルや強レベルよりも弱く、柔らかなエアー吹き付け感覚を与えることができる。
【００７５】
また、エアーＤが噴射される噴射孔５９の孔数が少なくなると、その噴射孔５９を合わせた開口面積が小さくなり、エアーＤの噴射量が絞り込まれるので、噴射孔５９から噴射されるエアーＤの強さを後述する中レベル、強レベルに高めることができる。
【００７６】
次に、図３に示すように、電磁弁６４ａのみを開放すると、供給ホース５０Ａに設けられた１６箇所の噴射孔５９からエアーＤが噴射される。しかし、供給ホース５０Ａに設けられた噴射孔５９の孔数（１６個）は、供給ホース５０Ａ，５０Ｂに設けられた全噴射孔５９の孔数（２８個）よりも少ないので、１６箇所の各噴射孔５９から噴射されるエアーＤのエアー噴射圧が上記弱レベルよりも高くなるように絞り込まれる。
【００７７】
これにより、２８箇所の噴射孔５９から噴射されるエアーＤの強さに比べて、１６箇所の噴射孔５９から噴射されるエアーＤの方が強く、エアーＤの強さを中レベルに調節することができる。  
したがって、寝具用マット１０上に寝転んだ利用者Ａに対し上記弱レベルよりも強いエアー吹き付け感覚を与えることができる。
【００７８】
次に、図４に示すように、電磁弁６４ｂのみを開放すると、供給ホース５０Ｂに設けられた１２箇所の噴射孔５９からエアーＤが噴射される。しかし、供給ホース５０Ｂに設けられた噴射孔５９の孔数は、供給ホース５０Ａに設けられた噴射孔５９の孔数（１６個）よりも少ないので、１２箇所の各噴射孔５９から噴射されるエアーＤのエアー噴射圧が上記中レベルよりも高くなるように絞り込まれる。
【００７９】
これにより、１６箇所の噴射孔５９から噴射されるエアーＤの強さに比べて、１２箇所の噴射孔５９から噴射されるエアーＤの方が強く、エアーＤの強さを強レベルに調節することができる。  
したがって、寝具用マット１０上に寝転んだ利用者Ａ（図４中に示す利用者Ａの頭部、肩部、背部等）に対し上記中レベルよりも強いエアー吹き付け感覚を与えることができる。
【００８０】
要するに、電磁弁６４ａ，６４ｂの開閉操作により、一つのエアー供給装置６８に対する供給ホース５０Ａ，５０Ｂの接続系統を選択的に切換える。  
これにより、エアーＤが噴射される噴射孔５９の孔数（１２個、１６個、２８個）に対応して、該噴射孔５９から噴射されるエアーＤの強さを３段階（強中弱）に可変調節することができる。
【００８１】
また、ジョイント５４の噴射孔５９から噴射されるエアーＤは、利用者Ａの身体付近や寝具用マット１０の中央部付近に向けて集中して吹き出されるので、空冷及び換気に使用されるエアーＤの損失量が少なく、効率よく空冷及び換気することができる。
【００８２】
また、寝具用マット１０の内部に溜まった熱や湿気は、ジョイント５４の噴射孔５９から噴射されるエアーＤの吐出力によって下層マット２０の谷部２２…に沿って短手方向Ｃへ送られるので、寝具用マット１０の内部（特に中央部付近）に熱や湿気が溜まりにくく、寝具用マット１０の内部から外部（大気側）に向けて効率よく排出することができる。
【００８３】
これにより、汗などの水分・湿気が寝具用マット１０及びカバー１２の表面に溜まりにくく、その表面がサラッするため、睡眠中や休憩中の利用者Ａに対し心地良い肌触り感を与えることができる。また、寝具用マット１０の内部から水分・湿気を排出して除湿するので、ダニやカビ等が発生するのを防止することができる。
【００８４】
次に、寝具用マット１０上に寝転んだ利用者Ａをマッサージする場合、リモートコントロール７０のマッサージスイッチ（図示省略）をＯＮ操作すると、電磁弁６４が閉塞され、エアー供給装置６８からエアー供給ホース５０へのエアー供給が停止される。
【００８５】
また、電磁弁６６が開放され、エアー供給装置６８からエアーバッグ６０へのエアー供給が開始される。また、予め記憶された動作プログラムに沿って電磁弁６６が開閉動作され、エアーバッグ６０のバッグ６０ａ〜６０ｄが膨張及び収縮される（図１、図５参照）。
【００８６】
つまり、バッグ６０ａ〜６０ｄの中からいずれか一つ又は複数を選択して膨張及び収縮させることにより、バッグ６０ａ〜６０ｄが押し付けられた利用者Ａの肩部、背部、腰部、脚部の所望する部分をマッサージすることができる。
【００８７】
また、バッグ６０ａ〜６０ｄに取り付けられた振動発生器（図示省略）を振動させて、バッグ６０ａ〜６０ｄが押し付けられた利用者Ａの肩部、背部、腰部、脚部に対し振動を付加すれば、マッサージ効果を一段と高めることができる。
【００８８】
これにより、例えば疲労回復、血行促進、筋肉の疲れをとる、筋肉のコリをほぐす、神経痛、筋肉痛の痛みの緩和等のマッサージ効果が得られる。
【００８９】
また、マッサージ時において、電磁弁６４を開放して、ジョイント５４の噴射孔５９から噴射されるエアーＤにより利用者Ａの身体を空冷しながら、エアーバッグ５０の膨張・収縮によりマッサージを行ってもよい。
【００９０】
以上のように、電磁弁６４ａ，６４ｂの開閉操作により、一つのエアー供給装置６８に対する供給ホース５０Ａ，５０Ｂの接続系統を選択的に切換えるので、エアーＤが噴射される噴射孔５９の孔数（１２個、１６個、２８個）に対応して、噴射孔５９から噴射されるエアーＤの強さを３段階（強中弱）に変化させることができる。  
これにより、ジョイント５４の噴射孔５９から噴射されるエアーＤの強さを、利用者Ａが望む又は好むような強さに可変調節することができ、快適な睡眠や休息をとることができる。
【００９１】
また、エアー供給装置６８の出力を制御したり、出力制御機能を備えた高価なエアーポンプ（図示省略）を用いなくても、エアーＤの強さを簡単且つ容易に可変調節することができとともに、寝具用マット１０全体の構成を簡素化して、製造コストの低減を図ることができる。
【００９２】
また、電磁弁６４ａ，６４ｂの開閉動作を、リモートコントロール７０に内蔵されたタイマーにより制御すれば、ジョイント５４の噴射孔５９から噴射されるエアーＤの強さを、利用者Ａの睡眠状態に応じて段階的に弱くなるように設定することもできる。
【００９３】
また、タイマーによる時間経過に対応して、エアーＤの強さが段階的に弱くなるように睡眠モードをプログラム設定したり、寝具用マット１０を除湿・乾燥するための乾燥モードをプログラム設定してもよい。
【００９４】
また、供給ホース５０Ａ，５０Ｂの各接続部分に設けられたＴ字状のジョイント５４を下層マット２０と中層マット３０との対向面間に挟み込んで、該ジョイント５４の接続ポート５６，５７，５８を下層マット２０と中層マット３０とで水平に支持している。
【００９５】
これにより、利用者Ａの体重が寝具用マット１０の内部に配索されたエアー供給ホース５０の接続部分に付加されても、その接続部分に設けられたジョイント５４の噴射孔５９のエアー噴射方向が変位することがなく、予め設定されたエアー噴射方向を保つことができる。
【００９６】
また、供給ホース５０Ａ，５０Ｂのホース５１ａ，５１ｂ，５２ａを格子状に接続して、ホース５１ａ，５１ｂ，５２ａの接続間隔を一定に保っているので、各接続部分に設けられたジョイント５４の噴射孔５９の間隔や位置が変位しにくく、予め設定されたエアー噴射方向及びエアー噴射間隔を保つことができる。
【００９７】
また、ジョイント５４の噴射孔５９から噴射されるエアーＤのエアー噴射方向が常時一定しているので、寝具用マット１０上に寝転んだ利用者Ａの身体の表面温度を下げる冷却効果、寝具用マット１０の内部に溜まった熱や湿気を排出する換気効果が安定して得られる。
【００９８】
また、ジョイント５４の噴射孔５９から噴射されるエアーＤが利用者Ａの身体付近や寝具用マット１０の中央部付近に向けて集中して吹き出されるので、利用者Ａの身体付近に熱や湿気が溜まりにくく、利用者Ａの身体が効率よく空冷される。  
これにより、体温上昇による発汗や蒸れを防止することができるとともに、寝心地が良く、快適な睡眠や休息をとることができる。
【００９９】
また、硬質のＡＢＳ樹脂で形成されたジョイント５４をエアー供給ホース５０の各接続部分にそれぞれ配置しているので、利用者Ａの体重が寝具用マット１０の内部に配索されたエアー供給ホース５０の接続部分に付加されても、その接続部分に設けられたジョイント５４が変形することがなく、ジョイント５４の噴射孔５９のエアー噴射方向を予め設定された方向に保つことができる。
【０１００】
また、エアー供給ホース５０の各接続部分に設けられるジョイント５４の種類が１種類であるため、寝具用マット１０全体の構成部品が少なくて済み、寝具用マット１０を製造する作業が簡単且つ容易に行える。
【０１０１】
図１０は、エアー供給ホース５０のみを配索した寝具用マット１０の他の例を示す斜視図である。  
本例の寝具用マット１０は、電磁弁６４ａ，６４ｂの開閉操作により、エアー供給装置６８に対する供給ホース５０Ａ，５０Ｂの接続系統を選択的に切換えることにより、エアーＤが噴射される噴射孔５９の孔数（２８個、１６個、１２個）と対応して、エアーＤの強さが強中弱の３段階に変化する。  
これにより、ジョイント５４の噴射孔５９から噴射されるエアーＤの強さを、利用者Ａが望む又は好むような強さに可変調節することができ、前記実施形態と略同等の作用及び効果を奏することができる。
【０１０２】
また、マット本体１１の内部からエアーバッグ６０を取り除くことにより、マット本体１１の構成部品が少なくなるので、マット本体１１を製造する作業が簡単且つ容易に行えるとともに、安価に製作及び製造することができる。  
また、エアーバッグ６０の重量分だけマット本体１１の総重量が軽くなり、さらに、エアーバッグ６０の厚み分だけマット本体１１の肉厚が薄くなるので、軽量化及び薄型化が図れる。
【０１０３】
また、供給ホース５０Ｂを、マット本体１１の中央領域ｂ、下部領域ｃのいずれか一方、或いは、上部領域ａ、中央領域ｂ、下部領域ｃの複数を組み合わせた領域に配索してもよい。  
つまり、供給ホース５０Ｂの各接続部分に設けられたジョイント５４の噴射孔５９から噴射されるエアーＤにより、利用者Ａの所望する部分を部分的に空冷することができる。  
これにより、利用者Ａの発汗が多い身体部分を効率よく空冷することができる。
【０１０４】
図１１は、供給ホース５０Ａの配索領域Ｘ内に、該配索領域Ｘ内に収まる大きさ及び形状に形成された格子状の供給ホース５０Ｃを配索した寝具用マット１０のその他の例を示す斜視図である。  
本例の寝具用マット１０は、大きさが異なる供給ホース５０Ａ，５０Ｃを、両者の配索領域を互いに重合させて上下に配設するとともに、供給ホース５０Ａ，５０Ｃに設けられたジョイント５４の噴射孔５９を変位させて配索している。
【０１０５】
供給ホース５０Ａに設けられた１６箇所の接続部分と、供給ホース５０Ｃに設けられた６箇所の接続部分とにジョイント５４をそれぞれ取り付けている。
【０１０６】
電磁弁６４ａ，６４ｂの両方を開放すると、供給ホース５０Ａ，５０Ｃに設けられた２２箇所のジョイント５４の噴射孔５９からエアーＤが同時に噴射される。  
電磁弁６４ａ，６４ｂのいずれか一方を開放すると、供給ホース５０Ａに設けられた１６箇所のジョイント５４、或いは、供給ホース５０Ｃに設けられた６箇所のジョイント５４の噴射孔５９からエアーＤが噴射される。
【０１０７】
つまり、電磁弁６４ａ，６４ｂの開閉操作により、エアー供給装置６８に対する供給ホース５０Ａ，５０Ｃの接続系統を選択的に切換え操作することにより、エアーＤが噴射される噴射孔５９の孔数（２２個、１６個、６個）と対応して、エアーＤの強さが強中弱の３段階に変化する。  
これにより、ジョイント５４の噴射孔５９から噴射されるエアーＤの強さを、利用者Ａが望む又は好むような強さに可変調節することができ、前記実施形態と略同等の作用及び効果を奏することができる。
【０１０８】
図１２は、一対の供給ホース５０Ａ，５０Ａを上下に配設した寝具用マット１０のその他の例を示す斜視図である。  
本例の寝具用マット１０は、同一の大きさ及び形状に形成された供給ホース５０Ａ，５０Ａを、両者の配索領域を互いに重合させて上下に配設するとともに、供給ホース５０Ａ，５０Ｂに設けられたジョイント５４の噴射孔５９を変位させて配索している。
【０１０９】
電磁弁６４ａ，６４ｂの両方を開放すると、供給ホース５０Ａ，５０Ａに設けられた３２箇所のジョイント５４の噴射孔５９からエアーＤが同時に噴射される。  
電磁弁６４ａ，６４ｂのいずれか一方を開放すると、開放側の供給ホース５０Ａに設けられた１６箇所のジョイント５４の噴射孔５９からエアーＤが噴射される。
【０１１０】
つまり、電磁弁６４ａ，６４ｂの開閉操作により、エアー供給装置６８に対する供給ホース５０Ａ，５０Ａの接続系統を選択的に切換えることにより、エアーＤが噴射される噴射孔５９の孔数（３２個、１６個）と対応して、エアーＤの強さが強弱の２段階に変化する。  
これにより、ジョイント５４の噴射孔５９から噴射されるエアーＤの強さを、利用者Ａが望む又は好むような強さに可変調節することができ、前記実施形態と略同等の作用及び効果を奏することができる。
【０１１１】
図１３は、ジョイント５４の対向する上下面に噴射孔５９を形成した寝具用マット１０のその他の例を示す断面図である。  
本例の寝具用マット１０は、ジョイント５４の本体５５の対向する中央部上下面（表面、裏面）に対し噴射孔５９をそれぞれ形成している（図１３のｃ部拡大図参照）。
【０１１２】
つまり、ジョイント５４の上面側噴射孔５９から噴射されるエアーＤは、中層マット３０及び上層マット４０の内部を通り抜けてマット本体１１の上方に向けて吹き出される。一方、ジョイント５４の下面側噴射孔５９から噴射されるエアーＤは、下層マット２０の内部を通り抜けてマット本体１１の下方に向けて吹き出される。  
このため、マット本体１１の内部に溜まった熱や湿気を短い時間で効率よく外部へ排出することができるので、冷却能力及び換気能力の向上を図ることができる。
【０１１３】
この発明の構成と、前記実施形態との対応において、  
この発明のエアー供給ホースは、実施形態の供給ホース５０Ａ，５０Ｂ，５０Ｃに対応し、  
以下同様に、  
複数のホースは、ホース５１ａ，５１ｂ，５２ａと対応し、  
切換え手段は、電磁弁６４，６４ｂに対応し、  
エアー供給源は、エアー供給装置６８に対応するも、  
この発明は、上述の実施形態の構成のみに限定されるものではなく、請求項に示される技術思想に基づいて応用することができ、多くの実施の形態を得ることができる。  
例えば供給ホース５０Ｂを、マット本体１１の中央領域ｂ又は下部領域ｃのいずれか一方に配設するか、その両方に配設してもよい。
【０１１４】
また、供給ホース５０Ａ，５０Ｂ，５０Ｃを、該供給ホース５０Ａ，５０Ｂ，５０Ｃの配索領域を互いに重合させて上下に配設してもよい。
【符号の説明】
【０１１５】
Ａ…利用者
Ｄ…エアー
Ｘ…配索領域
１０…寝具用マット
１１…マット本体
１２…カバー
２０…下層マット
３０…中層マット
４０…上層マット
５０…エアー供給ホース
５０Ａ，５０Ｂ，５０Ｃ…供給ホース
５４…ジョイント
５６，５７，５８…接続ポート
５９…噴射孔
６０…エアーバッグ
６４ａ，６４ｂ，６６…電磁弁
６５ａ，６５ｂ，６７…ホース
６８…エアー供給装置
７０…リモートコントロール
【図１】
0005530827.tif 000002
【図２】
0005530827.tif 000003
【図３】
0005530827.tif 000004
【図４】
0005530827.tif 000005
【図５】
0005530827.tif 000006
【図６】
0005530827.tif 000007
【図７】
0005530827.tif 000008
【図８】
0005530827.tif 000009
【図９】
0005530827.tif 000010
【図１０】
0005530827.tif 000011
【図１１】
0005530827.tif 000012
【図１２】
0005530827.tif 000013
【図１３】
0005530827.tif 000014